(57)【要約】【課題】音声の再生装置と出力装置とが連携して音量を制御し、制御内容の変更にも柔軟に対応可能な音声再生システムを提供する。【解決手段】音量情報を受信する第１の通信部と、音量情報に基づいて外部に出力されたときの出力音量が音量目標値に等しくなるように、第１の音声の音量を指定する第１の音量設定値及び第２の音声の音量を指定する第２の音量設定値を設定する制御部と、第１の音量設定値に基づいて音量が設定された第１の音声信号、及び第２の音量設定値に基づいて音量が設定された第２の音声信号を出力する音声信号出力部とを含む音声再生装置と、第１の音声の出力音量を検出する音量検出部と、音声再生装置へ音量を示す音量情報を送信する第２の通信部と、第１の音声信号及び第２の音声信号を入力し、第１の音声信号を音量検出部へ出力し、第２の音声信号を外部へ出力する音声信号入力部と、を含む音声出力装置と、を備える。【選択図】      図４
2014179845.tif 000002
【特許請求の範囲】
【請求項１】
音量情報を受信する第１の通信部と、
前記音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部と、
前記第１の音量設定値に基づいて前記第１の音量が設定された、所定の波形の前記第１の音声を指定する第１の音声信号、及び前記第２の音量設定値に基づいて前記第２の音量が設定された、前記第２の音声を指定する第２の音声信号を出力する音声信号出力部と、
を含む音声再生装置と、
前記第１の音声の前記出力音量を検出する音量検出部と、
前記音声再生装置へ、前記出力音量を示す前記音量情報を送信する第２の通信部と、
前記音声再生装置から前記第１の音声信号及び前記第２の音声信号を入力し、所定の音声情報に基づいて、前記第１の音声信号を前記音量検出部へ出力し、前記第２の音声信号を外部へ出力する音声信号入力部と、
を含む音声出力装置と、
を備える音声再生システム。
【請求項２】
前記第１の通信部は、前記第１の音声信号又は前記第２の音声信号の出力の、開始を示す開始信号及び終了を示す終了信号を送信し、
前記第２の通信部は、前記開始信号及び前記終了信号を受信し、
前記音声信号入力部は、前記開始信号及び前記終了信号に基づいて、前記第１の音声信号を前記音量検出部へ出力し、前記第２の音声信号を外部へ出力する
ことを特徴とする請求項１に記載の音声再生システム。
【請求項３】
前記音声信号入力部は、前記第１の音声信号又は前記第２の音声信号の解析結果に基づいて、前記第１の音声信号を前記音量検出部へ出力し、前記第２の音声信号を前記音声波形出力部へ出力する
ことを特徴とする請求項２に記載の音声再生システム。
【請求項４】
前記制御部は、
前記音量情報に基づいて前記第１の音量設定値を変化させ、
前記出力音量が前記音量目標値に一致しないとき、前記開始信号を送信して、前記第１の音声信号の送信を開始し、
前記出力音量が前記音量目標値に一致したとき、前記終了信号を送信し、前記第２の音量設定値を前記第１の音量設定値に設定する
ことを特徴とする請求項２又は３に記載の音声再生システム。
【請求項５】
前記音量再生装置から前記音声出力装置へ、前記音量目標値を送信する
ことを特徴とする請求項１乃至４のいずれかに記載の音声再生装置。
【請求項６】
入力された音声が外部に出力されたときの出力音量を検出する音量検出部、前記出力音量を示す音量情報を送信する第２の通信部、及び第１の音声信号及び第２の音声信号を入力し、所定の音声情報に基づいて、前記第１の音声信号を前記音量検出部へ出力し、前記第２の音声信号を外部へ出力する音声信号入力部を備える音量出力装置から、前記音量情報を受信する第１の通信部と、
前記音量情報に基づいて、前記出力音量が所定の音量目標値に等しくなるように、第１の音声の第１の音量を指定する第１の音量設定値及び第２の音声の第２の音量を指定する第２の音量設定値を設定する制御部と、
前記第１の音量設定値に基づいて前記第１の音量が設定された、所定の波形の前記第１の音声を指定する前記第１の音声信号、及び前記第２の音量設定値に基づいて前記第２の音量が設定された、前記第２の音声を指定する前記第２の音声信号を、前記音量出力装置へ出力する音声信号出力部と、
を備えることを特徴とする音声再生装置。
【請求項７】
前記音量出力装置へ前記音量目標値を送信する送信手段
を備えることを特徴とする請求項６に記載の音声再生装置。
【請求項８】
音量情報を受信する第１の通信部、前記音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部、及び前記第１の音量設定値に基づいて前記第１の音量が設定された、所定の波形の前記第１の音声を指定する第１の音声信号、及び前記第２の音量設定値に基づいて前記第２の音量が設定された、前記第２の音声を指定する第２の音声信号を出力する音声信号出力部を備える音声再生装置から、前記第１の音声信号及び前記第２の音声信号を入力し、所定の音声情報に基づいて、前記第２の音声信号を外部へ出力する音声信号入力部と、
前記音声信号入力部から前記第１の音声信号を出力し、前記第１の音声が外部に出力されたときの前記出力音量を検出する音量検出部と、
前記音声再生装置へ、前記出力音量を示す前記音量情報を送信する第２の通信部と、
を備えることを特徴とする音声出力装置。
【請求項９】
音声再生装置から、第１の音量設定値に基づいて第１の音量を設定して、所定の波形の第１の音声を指定する第１の音声信号を出力し、
音声出力装置において、所定の音声情報に基づいて、前記音声再生装置から前記第１の音声信号を入力し、前記第１の音声が外部に出力されたときの出力音量を検出し、
前記音声出力装置から、前記出力音量を示す前記音量情報を送信し、
前記音声再生装置において、前記音量情報に基づいて、前記出力音量が所定の音量目標値に等しくなるように、前記第１の音量を指定する第１の音量設定値及び第２の音声の第２の音量を指定する第２の音量設定値を設定し、
前記音声再生装置において、前記第２の音量設定値に基づいて前記第２の音量が設定された、前記第２の音声を指定する第２の音声信号を出力し、
前記音声出力装置において、前記音声情報に基づいて、前記音声再生装置から前記第２の音声信号を入力し、前記第２の音声信号を外部へ出力する
ことを特徴とする音量制御方法。
【請求項１０】
音量情報を受信する第１の通信部、並びに第１の音量設定値に基づいて第１の音量が設定された所定の波形の第１の音声を指定する第１の音声信号及び第２の音量設定値に基づいて第２の音量が設定された第２の音声を指定する第２の音声信号を出力する音声信号出力部を含む音声再生装置、並びに、
前記第１の音声が外部に出力されたときの出力音量を検出する音量検出部、前記音声再生装置へ前記出力音量を示す前記音量情報を送信する第２の通信部、及び前記音声再生装置から前記第１の音声信号及び前記第２の音声信号を入力し、所定の音声情報に基づいて、前記第１の音声信号を前記音量検出部へ出力し、前記第２の音声信号を外部へ出力する音声信号入力部を含む音声出力装置を備える音声再生システム
における前記音声再生装置が備えるコンピュータを、
前記音量情報の受信を行う通信手段と、
前記音量情報に基づいて、前記出力音量が所定の音量目標値に等しくなるように、前記第１の音量設定値及び前記第２の音量設定値を設定する制御手段
として機能させるための音量制御プログラム。
【発明の詳細な説明】
【技術分野】
【０００１】
本発明は、出力される音声の音量の制御を行う音声再生システム、音声再生装置、音声出力装置、音量制御方法及び音量制御プログラムに関する。
【背景技術】
【０００２】
近年、携帯型音楽再生装置やスマートフォン等、携帯機器と連携して音楽を再生することができる車載オーディオ装置が登場している（例えば、特許文献１参照）。特許文献１に記載された、車載オーディオ装置と携帯型音楽再生装置を含むシステムでは、携帯型音楽再生装置からの音楽データを、車載オーディオ装置で再生することができる。
【０００３】
オーディオ装置に音楽再生装置が接続され、オーディオ装置が音声を出力する場合の音量（以降、「出力音量」という。）は、オーディオ装置に備えられた出力音量の設定に加え、音楽再生装置の出力音量の設定にも依存する可能性がある。従って、オーディオ装置又は音楽再生装置の音量の設定によっては、ユーザが意図しないような大きな音量レベルで、音声が出力される可能性がある。自動車の運転中の、運転者の予期しない大音量の音声の発生は、重大な事故につながる危険がある。
【０００４】
上記のような問題に対応するため、自動的に出力音量を制御する技術が開示されている（例えば、特許文献２参照）。
【０００５】
特許文献２に記載された車載オーディオ装置は、携帯型音楽再生装置等、外部機器と接続可能な外部入力端子を備える。さらに、特許文献２の車載オーディオ装置は、外部機器からの音声を再生するときの出力音量を自動的に制御する機能を備える。具体的には、特許文献２の車載オーディオ装置は、外部機器からの音声の入力電圧レベルを基準の電圧レベルと比較し、出力音量が所定のレベルになるように調整する。
【先行技術文献】
【特許文献】
【０００６】
【特許文献１】特開２００１−２９６８７５号公報  （第７−９頁、図２）
【特許文献２】特開２００９−２１２８３０号公報  （第８−１２頁、図４、６）
【発明の概要】
【発明が解決しようとする課題】
【０００７】
特許文献２の車載オーディオ装置は、外部機器からの音声信号の音量のレベルを検出し、検出されたレベルに応じて出力音量を調整する。すなわち、出力音量の制御に関わるすべての制御は、特許文献２の車載オーディオ装置の内部で行われる。そのため、出力音量の制御内容や制御方法を変更するためには、車載オーディオ装置が内蔵する出力音量制御プログラムを変更する必要がある。つまり、車載オーディオ装置は、内蔵プログラムを変更するための仕組みを備えることが必要である。
【０００８】
ところで、一般に、スマートフォン等、音楽再生機能を備える外部機器は、その機器自体に出力音量の調整機能を備える。また、外部機器の中には、内蔵プログラムを変更できる機能を備えるものもある。従って、車載オーディオ装置と外部機器を連携して音楽再生を行うときは、外部機器が備える機能を活用することが有効である。
【０００９】
ところが、特許文献２の車載オーディオ装置では、出力音量の制御に関わるすべての制御は車載オーディオ装置の内部で行われる。そのため、特許文献２の車載オーディオ装置では、外部機器が備える機能を有効に活用することができないという課題がある。
（発明の目的）
本発明は上記のような技術的課題に鑑みて行われたもので、音声再生装置と音声出力装置とが連携して出力音量を制御し、制御内容の変更にも柔軟に対応可能な音声再生システム、音声再生装置、音声出力装置、音量制御方法及び音量制御プログラムを提供することを目的とする。
【課題を解決するための手段】
【００１０】
本発明の音声再生システムは、音量情報を受信する第１の通信部と、音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部と、第１の音量設定値に基づいて第１の音量が設定された、所定の波形の第１の音声を指定する第１の音声信号、及び第２の音量設定値に基づいて第２の音量が設定された、第２の音声を指定する第２の音声信号を出力する音声信号出力部と、を含む音声再生装置と、第１の音声の出力音量を検出する音量検出部と、音声再生装置へ、出力音量を示す音量情報を送信する第２の通信部と、音声再生装置から第１の音声信号及び第２の音声信号を入力し、所定の音声情報に基づいて、第１の音声信号を音量検出部へ出力し、第２の音声信号を外部へ出力する音声信号入力部と、を含む音声出力装置と、を備えることを特徴とする。
【００１１】
本発明の音声再生装置は、入力された音声が外部に出力されたときの出力音量を検出する音量検出部、出力音量を示す音量情報を送信する第２の通信部、及び第１の音声信号及び第２の音声信号を入力し、所定の音声情報に基づいて、第１の音声信号を音量検出部へ出力し、第２の音声信号を外部へ出力する音声信号入力部を備える音量出力装置から、音量情報を受信する第１の通信部と、音量情報に基づいて、出力音量が所定の音量目標値に等しくなるように、第１の音声の第１の音量を指定する第１の音量設定値及び第２の音声の第２の音量を指定する第２の音量設定値を設定する制御部と、第１の音量設定値に基づいて第１の音量が設定された、所定の波形の第１の音声を指定する第１の音声信号、及び第２の音量設定値に基づいて第２の音量が設定された、第２の音声を指定する第２の音声信号を、音量出力装置へ出力する音声信号出力部と、を備えることを特徴とする。
【００１２】
本発明の音声出力装置は、音量情報を受信する第１の通信部、音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部、及び第１の音量設定値に基づいて第１の音量が設定された、所定の波形の第１の音声を指定する第１の音声信号、及び第２の音量設定値に基づいて第２の音量が設定された、第２の音声を指定する第２の音声信号を出力する音声信号出力部を備える音声再生装置から、第１の音声信号及び第２の音声信号を入力し、所定の音声情報に基づいて、第２の音声信号を外部へ出力する音声信号入力部と、音声信号入力部から第１の音声信号を出力し、第１の音声が外部に出力されたときの出力音量を検出する音量検出部と、音声再生装置へ、出力音量を示す音量情報を送信する第２の通信部と、を備えることを特徴とする
本発明の音量制御方法は、音声再生装置から、第１の音量設定値に基づいて第１の音量を設定して、所定の波形の第１の音声を指定する第１の音声信号を出力し、音声出力装置において、所定の音声情報に基づいて、音声再生装置から第１の音声信号を入力し、第１の音声が外部に出力されたときの出力音量を検出し、音声出力装置から、出力音量を示す音量情報を送信し、音声再生装置において、音量情報に基づいて、出力音量が所定の音量目標値に等しくなるように、第１の音量を指定する第１の音量設定値及び第２の音声の第２の音量を指定する第２の音量設定値を設定し、音声再生装置において、第２の音量設定値に基づいて第２の音量が設定された、第２の音声を指定する第２の音声信号を出力し、音声出力装置において、音声情報に基づいて、音声再生装置から第２の音声信号を入力し、第２の音声信号を外部へ出力することを特徴とする。
【００１３】
本発明の音量制御プログラムは、音量情報を受信する第１の通信部、並びに第１の音量設定値に基づいて第１の音量が設定された所定の波形の第１の音声を指定する第１の音声信号及び第２の音量設定値に基づいて第２の音量が設定された第２の音声を指定する第２の音声信号を出力する音声信号出力部を含む音声再生装置、並びに、第１の音声が外部に出力されたときの出力音量を検出する音量検出部、音声再生装置へ出力音量を示す音量情報を送信する第２の通信部、及び音声再生装置から第１の音声信号及び第２の音声信号を入力し、所定の音声情報に基づいて、第１の音声信号を音量検出部へ出力し、第２の音声信号を外部へ出力する音声信号入力部を含む音声出力装置を備える音声再生システムにおける音声再生装置が備えるコンピュータを、音量情報の受信を行う通信手段と、音量情報に基づいて、出力音量が所定の音量目標値に等しくなるように、第１の音量設定値及び第２の音量設定値を設定する制御手段として機能させることを特徴とする。
【発明の効果】
【００１４】
本発明の音声再生システム、音声再生装置、音声出力装置、音量制御方法及び音量制御プログラムによると、音声再生装置と音声出力装置とが連携して出力音量を制御し、制御内容の変更にも柔軟に対応することができる。
【図面の簡単な説明】
【００１５】
【図１】本発明の第１の実施形態の音声再生システムの概略構成を示す図である。
【図２】本発明の第１の実施形態の音声再生システムの内部構成を示すブロック図である。
【図３】本発明の第１の実施形態のスマートフォンの制御部の動作を示すフローチャートである。
【図４】本発明の第２の実施形態の音声再生システムの内部構成を示すブロック図である。
【図５】本発明の第２の実施形態の音声再生装置の制御部の動作を示すフローチャートである。
【図６】本発明の第２の実施形態の音声再生システムの変形例を示すブロック図である。
【図７】本発明の第２の実施形態の音声再生システムの第２の変形例を示すブロック図である。
【発明を実施するための形態】
【００１６】
（第１の実施形態）
まず初めに、本発明の実施形態の説明において使用される各種の用語を定義する。
【００１７】
「音声波形信号」とは、空気の振動である音声が電気信号に変換されたものを意味する。音声波形信号が空気の振動に変換されると、音声が発生する。
【００１８】
「音声信号」とは、音声を指定する信号、すなわち、音声波形を表現する情報を含む信号であり、音声波形信号を発生させる基となる信号である。
【００１９】
音声信号がアナログ信号であるときは、必要に応じてフィルタを用いるなどの処理を行うことによって、音声信号から、音声波形に相似な波形を生成することができる。
【００２０】
音声信号がデジタル信号であるときは、音声信号は、音声を指定する「音声データ」を含む信号である。従って、デジタル−アナログ変換と、必要に応じてフィルタを用いるなどの処理を行うことによって、音声信号から、音声波形に相似な波形を生成することができる。なお、音声データは、そのままデジタル−アナログ変換することのできる非圧縮データ、又は所定の方式で復号することによって非圧縮のデータに変換される圧縮データである。
【００２１】
「音声の再生」とは、所定の記録媒体又は外部から受け取った音声データ若しくは音声信号から、音声信号を生成することをいう。外部から受け取った音声信号をそのまま出力することも、便宜上、音声を生成するという。
【００２２】
「音声の出力」とは、音声波形信号を空気の振動に変換し、音声を発生させることをいう。
【００２３】
図１は、本発明の第１の実施形態の音声再生システムの概略構成を示す。本実施形態の音声再生システム１００では、外部機器であるスマートフォン１１０と、音声再生装置である車載オーディオ装置１２０とが連携し、車載オーディオ装置１２０の出力音量を制御する。
【００２４】
スマートフォン１１０から車載オーディオ装置１２０へ送信される音声信号１０１は、サンプル音を指定するサンプル音信号と、車載オーディオ装置１２０によって、実際に外部へ出力されるべき音声１０２（以降、「出力音」という。）を指定する出力音信号を含む。
【００２５】
スマートフォン１１０と車載オーディオ装置１２０との間でやり取りされる連携情報１０３は、スマートフォン１１０から車載オーディオ装置１２０への「再生情報」と、車載オーディオ装置１２０からスマートフォン１１０への「音量情報」を含む。
【００２６】
音声再生システム１００による出力音量の制御の概要は以下の通りである。
【００２７】
まず、スマートフォン１１０は、車載オーディオ装置１２０へ、サンプル音を指定するサンプル音信号を含む音声信号１０１を送信する。その際、スマートフォン１１０は、サンプル音の音量を音量設定値で設定する。スマートフォン１１０は、サンプル音信号を含む音声信号１０１の送信中であることを、再生情報を含む連携情報１０３によって、車載オーディオ装置１２０へ通知する。
【００２８】
車載オーディオ装置１２０は、サンプル音が実際に外部出力された場合の出力音量を検出する。そして、車載オーディオ装置１２０は、検出した出力音量を、音声情報を含む連携情報１０３によってスマートフォン１１０へ通知する。
【００２９】
スマートフォン１１０は、所定の出力音量目標値と、連携情報１０３に含まれる出力音量とを比較し、比較結果に従って音量設定値を変更する。出力音量目標値は、車載オーディオ装置１２０から出力される出力音１０２の音量の目標値である。出力音量目標値は、車載オーディオ装置１２０の外部から設定可能であることが好ましい。例えば、出力音量目標値は、スマートフォン１１０内の音量制御プログラム等の内部に設定された値を、車載オーディオ装置１２０に送信することによって設定してもよい。
【００３０】
スマートフォン１１０は、上記の比較と音量設定値の変更を繰り返し、サンプル音が車載オーディオ装置１２０の外部に出力された場合の出力音量が出力音量目標値に等しくなるときの音量設定値（以降、「音量設定基準値」という。）を求める。そして、スマートフォン１１０は、出力音の音量設定値を音量設定基準値に設定し、出力音信号を含む音声信号１０１を送信する。
【００３１】
車載オーディオ装置１２０は、音声信号１０１に含まれる出力音信号を基に、出力音１０２を外部に出力する。このときの出力音１０２の音量である出力音量は、出力音量目標値に等しい。すなわち、音声再生システム１００による音量制御によって、出力音１０２は、出力音量が出力音量目標値に等しくなった後、車載オーディオ装置１２０から出力される。
【００３２】
従って、上記の音量制御によって、スマートフォン１１０と車載オーディオ装置１２０との接続時に、ユーザの意図しない大きな音量で出力音が再生されるといった問題を回避することができる。
【００３３】
さらに、スマートフォン１１０として、新たな端末が使用される場合であっても、新しいスマートフォン１１０に音量制御プログラムを導入すれば、同様に適切な音量制御を行うことができる。
（第１の実施形態の構成）
次に、音声再生システム１００に含まれる、スマートフォン１１０及び車載オーディオ装置１２０の内部構成の詳細について説明する。
【００３４】
図２は、本実施形態の音声再生システム１００に含まれる、スマートフォン１１０と車載オーディオ装置１２０の、内部構成を示すブロック図である。
【００３５】
スマートフォン１１０は、音声信号出力部１１１、記憶部１１２、第１の通信部１１３、第１の制御部１１４を含む。
【００３６】
音声信号出力部１１１は、音声信号１０１を出力する。音声信号１０１は、サンプル音を指定するサンプル音信号と、車載オーディオ装置１２０から外部へ出力されるべき出力音１０２を指定する出力音信号を含む。音声信号出力部１１１は、サンプル音及び出力音のそれぞれの音量を、音量設定値によって設定する。そして、音量が設定されたサンプル音及び出力音を指定する音声信号１０１を出力する。なお、音量設定値は、第1の制御部１１４によって設定される。
【００３７】
なお、前述のように、「サンプル音及び出力音を指定する」とは、それぞれの音声の音声波形を表現することを意味する。すなわち、音声信号１０１は、音声波形を直接表現するアナログ音声信号でも、音声波形がアナログ−デジタル変換されたデジタル音声情報を含むデジタル信号でもよい。さらに、音声信号１０１は、デジタル音声情報が、所定の規則に従った圧縮等の符号化が施された符号化信号であってもよい。
【００３８】
記憶部１１２は、サンプル音及び出力音の音声波形を指定する音声波形情報、並びに音量に関する各種の設定情報を記憶する。
【００３９】
第１の通信部１１３は、車載オーディオ装置１２０との接続確認、サンプル音の出力の開始又は終了の通知の送信、及び車載オーディオ装置１２０からの音量情報の受信を行う。第１の通信部１１３は、車載オーディオ装置１２０との間で、接続確認、出力開始通知、出力終了通知、音量情報を、連携情報１０３として送受信する。
【００４０】
第１の制御部１１４は、音声信号出力部１１１、記憶部１１２、第１の通信部１１３を制御する。制御部１１４による制御は、スマートフォン１１０に内蔵されたＣＰＵ（Central Processing Unit）（図示なし）が所定の制御プログラムを実行することによって行われるソフトウェア処理であってもよい。あるいは、制御部１１４は、専用のハードウェアを用いて構成されてもよい。
【００４１】
車載オーディオ装置１２０は、音声信号入力部１２１、音声波形出力部１２２、音声出力部１２３、音量検出部１２４、第２の通信部１２５、第２の制御部１２６を含む。
【００４２】
音声信号入力部１２１は、スマートフォン１１０から出力された音声信号１０１を受信する。音声信号入力部１２１は、必要に応じて、音声信号１０１の復調等の信号処理を行う。音声信号入力部１２１は、音声信号１０１に含まれるサンプル音信号を音量検出部１２４へ出力する。また、音声信号入力部１２１は、音声信号１０１に含まれる出力音信号を音声波形出力部１２２へ出力する。音声信号入力部１２１は、音声信号１０１に含まれる信号が、サンプル音信号であるか、出力音信号であるかを、第２の通信部１２５が受信した出力開始通知、出力終了通知によって判断する。すなわち、出力開始通知の受信から、出力終了通知の受信までの音声信号１０１に含まれる音声信号は、サンプル音信号のものであると判断する。
【００４３】
音声波形出力部１２２は、音声信号１０１を基にして、音声波形信号を生成し、音声出力部１２３へ出力する。
【００４４】
音声出力部１２３は、音声波形信号を空気の振動に変換し、出力音１０２として車載オーディオ装置１２０の外部に出力する。音声出力部１２３は、例えば、スピーカを用いて構成される。
【００４５】
音量検出部１２４は、音声信号１０１に含まれるサンプル音の出力音量を検出する。ここでの出力音量は、車載オーディオ装置１２０がサンプル音を出力音１０２として出力したと仮定した場合の出力音量である。サンプル音は、出力音１０２として外部に出力される必要はない。
【００４６】
第２の通信部１２５は、検出した出力音量を、音量情報としてスマートフォン１１０に送信する。また、第２の通信部１２５は、スマートフォン１１０との接続確認、サンプル音の出力開始通知、出力終了通知の受信を行う。第２の通信部１２５は、スマートフォン１１０との間で、接続確認、出力開始通知、出力終了通知、音量情報を、連携情報１０３として送受信する。
【００４７】
第２の制御部１２６は、音声信号入力部１２１、音声波形出力部１２２、音声出力部１２３、音量レベル検出部１２４、第２の通信部１２５を制御する。制御部１２６による制御は、車載オーディオ装置１２０に内蔵されたＣＰＵ（図示なし）が所定の制御プログラムを実行することによって行われるソフトウェア処理であってもよい。あるいは、制御部１２６は、専用のハードウェアを用いて構成されてもよい。
【００４８】
なお、音声信号１０１及び連携情報１０３のそれぞれは、無線信号であっても、有線信号であってもよい。すなわち、音声信号１０１及び連携情報１０３に含まれる通知、情報等の伝送路は、有線でも無線でもよい。
（第１の実施形態の動作）
図３は、スマートフォン１１０の第１の制御部１１４の動作を示すフローチャートである。第１の制御部１１４は、車載オーディオ装置１２０からの出力音の出力音量が、予め設定された閾値を超えないように制御する。ここでの閾値は、車載オーディオ装置１２０から出力される出力音の音量の目標値である、前述の出力音量目標値である。
【００４９】
なお、予め、スマートフォン１１０と車載オーディオ装置１２０との接続が確認されているものとする。すなわち、音量制御を開始する前に、スマートフォン１１０と車載オーディオ装置１２０とは、無線通信又は有線通信等、所定の方法によって接続され、連携情報及び音量信号の送受信が可能な状態に設定される。
【００５０】
また、出力音量目標値と、音声信号出力部１１１において設定可能な音量設定値の最大値（以降、「最大音量設定値」という。）Ｎ（Ｎは１以上の整数）の情報も、予め、記憶部１１２等に格納されているものとする。
【００５１】
出力音量目標値は、スマートフォン１１０又は車載オーディオ装置１２０のユーザが出力音１０２の音量として、任意に設定することができる。
【００５２】
最大音量設定値は、音声信号出力部１１１の仕様によって決まる値である。最大音量設定値は、スマートフォン１１０又は車載オーディオ装置１２０のユーザによって、音声信号出力部１１１に設定可能な値以下に制限されてもよい。
【００５３】
始めに、第１の制御部１１４は、その時点の音量設定値ｉ（ｉは１以上の整数）を取得する（ステップＳ１０１）。
【００５４】
そして、第１の制御部１１４は、過去に音量制御が実施済みであるか否かを確認する（ステップＳ１０２）。過去に音量制御が実施済みであることは、例えば、音量設定値の記憶領域を設け、音量制御を行う前はその記憶領域に所定の無効値を設定する、等の方法で確認することができる。記憶領域の記憶値が無効値でない場合は、過去に音量制御が実施済みであると判断できる。
【００５５】
音量制御が未実施であるとき（ステップＳ１０２：Ｎｏ）、第１の制御部１１４は、最大音量設定値Ｎの情報を取得し、記憶部１１２に格納する（ステップＳ１０３）。
【００５６】
次に、第１の制御部１１４は、音量設定値ｉを最小値である”１”に設定する（ステップＳ１０４）。音声信号出力部１１１は、設定された音量設定値ｉに従ってサンプル音の音量を制御する。
【００５７】
そして、第１の制御部１１４は、サンプル音の出力の開始を知らせる開始通知を車載オーディオ装置１２０に送信するように、第１の通信部１１３に指示する（ステップＳ１０５）。さらに、第１の制御部１１４は、記憶部１１２に格納されている音声波形情報を基にサンプル音信号を含む音声信号１０１を出力するよう、音声信号出力部１１１に指示する（ステップＳ１０６）。
【００５８】
サンプル音信号を含む音声信号の出力が終了すると、第１の制御部１１４は、サンプル音の出力の終了を知らせる終了通知を車載オーディオ装置１２０に送信するように、第１の通信部１１３に指示する（ステップＳ１０７）。
【００５９】
車載オーディオ装置１２０は、開始通知から終了通知までの間に受け取った音声信号を解析してサンプル音声信号の音量（以降、「サンプル音量」という。）を検出し、音量情報として送信する。第１の通信部１１３は、音量情報を受信し、第１の制御部１１４へ通知する。第１の制御部１１４は、音量情報からサンプル音量を取得する（ステップＳ１０８）。
【００６０】
サンプル音量を取得した第１の制御部１１４は、サンプル音量が出力設定された閾値、すなわち出力音量目標値以内であるか否かを判断する（ステップＳ１０９）。
【００６１】
サンプル音量が閾値以内であれば（ステップＳ１０９：Ｙｅｓ）、第１の制御部１１４は、音量設定値が最大音量設定値Ｎに等しいか否かを判断する（ステップＳ１１０）。
【００６２】
そして、音量設定値が最大音量設定値Ｎに等しいとき（ステップＳ１１０：Ｙｅｓ）、第１の制御部１１４は、出力音の音量設定値を、その時点の音量設定値、すなわちサンプル音の音量設定値と同じ値に設定する（ステップＳ１１１）。
【００６３】
ステップＳ１０９において、出力音量が閾値を越えている場合（ステップＳ１０９：Ｎｏ）、第１の制御部１１４は、音量設定値ｉを１段階低く設定し（ステップＳ１１０）、ステップＳ１１１へ進む。
【００６４】
ステップＳ１１０において、音量設定値が最大音量設定値Ｎより小さいとき（ステップＳ１０９：Ｎｏ）、第１の制御部１１４は、音量設定値ｉを１段階高く設定する（ステップＳ１１３）。従って、出力音量が閾値内であれば、スマートフォン１１０の音量設定値は、最大音量設定値に設定される。
【００６５】
ステップＳ１１３の処理後、第１の制御部１１４は、ステップＳ１０５へ戻る。従って、音声信号出力部１１１は、更新された音量設定値で音量を制御したサンプル音信号を含む音声信号１０１を出力する。
【００６６】
以上の処理によって、車載オーディオ装置１２０からの出力音の音量が閾値、すなわち出力音量目標値以下となり、かつ、スマートフォン１１０の最大音量設定値以下である最大の音量設定値（以降、「理想音量設定値」という。）が求められる。
【００６７】
第１の制御部１１４は、求められた理想音量設定値を、出力音声の音量設定値として設定する。そして、第１の制御部１１４は、記憶部１１２に格納されている出力音信号を含む音声信号を出力するように、音声信号出力部１１１に指示する（ステップＳ１１４）。
【００６８】
第１の制御部１１４は、スマートフォン１１０と車載オーディオ装置１２０との接続の解除を確認する（ステップＳ１１５）。そして、解除が確認されたとき（ステップＳ１１５：Ｙｅｓ）は、音量設定値ｉを、ステップＳ１０１で取得した、音量制御前の音量設定値に戻す（ステップＳ１１６）。
【００６９】
なお、過去に音量制御が実施済みであれば（ステップＳ１０１：Ｙｅｓ）、その時点の音量設定値を基に音量設定を行うことによって、サンプル音声を使用した以下の音量制御処理を行う必要がない。従って、ステップＳ１０２において、音量制御が実施済みであると判断されたとき（ステップＳ１０２：Ｙｅｓ）、第１の制御部１１４は、ステップＳ１１１に進んでよい。
（第１の実施形態の効果）
以上のように、本実施形態によると、外部の音声再生装置と音声出力装置とが連携して音量制御を行い、出力される音量を目標値以下のレベルに制御する。従って、車載オーディオ装置へ、スマートフォンなどの外部音声再生装置を接続した場合でも、不意な大音量の音声の発生による運転者への妨害等を防止することができる。
【００７０】
さらに、外部の音声再生装置内のプログラムの変更で、制御方法の変更が可能となる。従って、音声出力装置が制御プログラムの更新機能を備えない場合や、更新が困難でない場合にも、外部の音声再生装置内のプログラム変更によって、制御内容の変更に対応することができる。
【００７１】
また、音声制御についての操作のログ情報を取得すれば、過去の操作の傾向を解析することができる。従って、その解析結果に基づいて、音量制御の一部に変更を加えることができる。例えば、操作のログの解析結果によると、出力音量目標値を初期設定し、音量制御を行った後に、出力音量を上げる傾向があると判断されれば、初期設定時の出力音量目標値を上げるといったフィードバックを行うことができる。
【００７２】
さらに、外部の音声再生装置が移動可能なスマートフォン等の端末である場合は、操作のログ情報に端末情報と地域情報を含めてもよい。この場合、端末を用いた通信によって、ログ情報をセンターサーバに格納すれば、特定の地域で好まれる音量はいくらか、といった地域性に特化したメンテナンスを行うことができる。
（第２の実施形態）
第１の実施形態では、スマートフォン（音声再生装置）１１０から車載オーディオ装置（音声出力装置）１２０への、サンプル音の再生の開始と終了の通知のために、音声信号とは別に、開始通知及び終了通知を含む連携信号が用いられる。しかし、本発明では、サンプル音の再生の開始及び終了の通知の方法は限定されない。さらに、開始及び終了の通知自体も必須ではない。
【００７３】
音声出力装置は、音声信号に含まれるサンプル音の音量を検知し、音声再生装置へ音量を通知する必要がある。そのため、音声出力装置は、音声信号がサンプル音を指定するものであるか、外部へ出力すべき出力音を指定するものであるかを判別できればよい。音声信号はサンプル音及び出力音の両方を同時に含む場合は、音声出力装置は音声信号からサンプル音及び出力音を抽出できればよい。このように、音声出力装置が音声信号に含まれるサンプル音の音量を検知することさえできればよいので、音声再生装置から音声出力装置へ、音声信号とは別に、サンプル音の再生の開始及び終了の通知を行うことは必須ではない。
【００７４】
第１の実施形態のスマートフォン１１０は、サンプル音及び出力音の音声波形を指定する音声波形情報を記憶する記憶部１１２を備える。しかし、音声再生装置は、音声波形情報を内部に保持する必要はない。すなわち、音声波形情報は、内部に保持されても、外部から入力されてもよい。
【００７５】
第１の実施形態の車載オーディオ装置１２０は、音声波形出力部１２２、音声出力部１２３を備える。しかし、音声出力装置は、音声信号に含まれるサンプル音の音量の検知及び音声再生装置への音量の通知、並びに外部への出力音の出力のみを行ってもよい。この場合、音声波形信号の生成及び音声の出力は、音声出力装置の外部で行われればよい。
（第２の実施形態の構成）
図４は、本発明の第２の実施形態の音声再生システムの内部構成を示すブロック図である。図４は、本発明の音声再生システムに含まれる音声再生装置及び音声出力装置が備えるべき必須の構成を示す。
【００７６】
第２の実施形態の音声再生システム２００は、音声再生装置２１０と、音声出力装置２２０を備える。
【００７７】
音声再生システム２００は、全体として、以下のように動作する。
【００７８】
音声再生装置２１０は、音声信号２０１を音声出力装置２２０に出力する。
【００７９】
音声出力装置２２０は、音声信号２０１に含まれるサンプル音の音声信号から、サンプル音の音量を検出し、音声再生装置２１０に通知する。サンプル音の音量とは、サンプル音が音声出力装置２１０の外部に出力されたと仮定したときの音量である。従って、同じ音量のサンプル音と出力音が音声出力装置２２０の外部に出力されたとき、それぞれの出力音量は等しい。なお、サンプル音は、音声出力装置２２０の外部に出力される必要はない。
【００８０】
音声再生装置２１０は、通知されたサンプル音の音量に基づいて、サンプル音の音量設定値を調整し、音声信号２０１として音声出力装置２２０に出力する。
【００８１】
そして、通知されたサンプル音の音量が出力音量目標値に等しくなったことを確認すると、音声再生装置２１０は、出力音の音量設定値をその時点のサンプル音の音量設定値に等しく設定する。この設定により、出力音量目標値に等しい音量の出力音を指定する出力音信号が、音声出力装置２２０から出力される。また、出力音量の調整の際、サンプル音信号は音声出力装置２２０の外部へ出力されることがないので、異常に大きな音声が発生するといった問題は発生しない。
【００８２】
次に、音声再生装置２１０、音声出力装置２２０の、それぞれの構成を説明する。
【００８３】
音声再生装置２１０は、音声信号出力部２１１、制御部２１４、第１の通信部２１３を備える。
【００８４】
音声信号出力部２１１は、外部から入力された音声信号、又は所定の記憶手段（図示なし）からの音声データに基づいて、音声信号２０１を生成し、音声出力装置２２０へ出力する。記憶手段は、音声再生装置２１０の内部に備えられても、音声再生装置２１０の外部に備えられてよい。
【００８５】
以降、音声信号出力部２１１に入力される、音声信号２０１の生成の基となる、音声信号又は音声データを、「基本音声情報」という。基本音声情報は、第１の音声に対応する第１の基本情報、及び第２の音声に対応する第２の基本情報を含む。第１の基本情報、第２の基本情報のそれぞれは、音声信号出力部２１１の内部に保持、又は外部から入力される。
【００８６】
音声信号２０１は、サンプル音の音声信号（第１の音声信号）、又は出力音の音声信号（第２の音声信号）を含む。音声信号２０１は、第１の音声信号、又は第２の音声信号のいずれか一方のみを含んでもよい。あるいは、音声信号は、第１の音声信号及び第２の音声信号の両方を、同時に含んでもよい。すなわち、音声再生装置２１０は、音声出力装置２２０を介して出力音を外部に出力しているときに、第１の音声信号を音声出力装置２２０へ入力することもできる。
【００８７】
また、音声信号出力部２１１は、音量設定値に基づき、第１の音声及び第２の音声の音量を制御する。具体的には、音声信号出力部２１１は、以下のようにして、音量を制御する。
１）基本音声情報がアナログ信号である場合
音声信号出力部２１１は、音量設定値に従って、アナログ信号の振幅を設定する。
２）基本音声情報が非圧縮の音声データである場合
音声信号出力部２１１は、音声データが示す音声の音量が、音量設定値に指定された音量になるように、音声データを変更する。
３）基本音声情報が圧縮された音声データである場合
音声信号出力部２１１は、音声データを伸張し、伸張された音声データが示す音声の音量が、音量設定値に指定された音量になるように、伸張された音声データを変更する。
【００８８】
上記のようにして音量が制御された音声に対応する音声信号は、アナログ信号、非圧縮の音声データ、又は圧縮された音声データの形態で、音声信号２０１として出力される。すなわち、基本音声情報の形態と、音声信号２０１の形態は、必ずしも一致している必要はない。
【００８９】
制御部２１４は、音声出力装置２２０から通知された第１の音声の音量（第１の音量）が、出力音量目標値になるように、第１の音声の音量設定値を増減する。そして、第１の音量が出力音量目標値に一致したとき、第２の音声の音量（第２の音量）を、その時点の第１の音声の音量設定値に等しい値に設定する。
【００９０】
第１の通信部２１３は、音声出力装置２２０からの音量情報２０３を受信し、音量を制御部２１４に通知する。
【００９１】
音声出力装置２２０は、音声信号入力部２２１、音量検出部２２４、第２の通信部２２５を備える。
【００９２】
音声信号入力部２２１は、音声再生装置２１０から音声信号２０１を入力する。音声信号入力部２２１は、入力した音声信号２０１に含まれる、第１の音声信号、及び第２の音声信号を判別する。そして、音声信号入力部２２１は、音声信号２０１に含まれる第１の音声信号を音量検出部２２４へ出力する。また、音声信号入力部２２１は、音声信号２０１に含まれる第２の音声信号２０４を外部へ出力する。
【００９３】
音声信号入力部２２１は、例えば以下のような方法で、音声信号２０１に含まれる音声信号を判別する。
１）第１の音声信号の特徴を利用する方法
音声信号２０１の中の第１の音声信号を判別するために、第１の音声の特徴を利用する方法がある。例えば、第１の音声の周波数を、可聴周波数範囲外の特殊周波数に設定する方法がある。このとき、音声信号入力部２２１は、音声信号２０１から再生した音声から、特殊周波数の信号を抽出して第１の音声とする。なお、第１の音声の周波数を特殊周波数とすることは、音声出力装置２２０と音声再生装置２１０との間で、予め取り決めておく。
２）音声信号中の音声の音量の変化を検知する方法
第１の音声信号は、第２の音声信号と併せて音声信号に含まれてもよい。この場合、音声信号入力部２２１は、音声信号２０１から再生した音声の音量の変化から、音声信号２０１に第１の音声が含められたことを検知する。そして、音声信号２０１に第１の音声信号が含まれると判断したときは、音量制御中であると判断し、例えば、音声出力装置２２０から音声再生装置２１０へ、第１の音声信号のみを送信するように要求すればよい。
【００９４】
音量検出部２２４は、音声信号入力部２２１から入力された第１の音声信号に基づいて、第１の音声、すなわちサンプル音の音量である第１の音量を検出する。そして、音量検出部２２４は、第１の音量を第２の通信部２２５へ通知する。
【００９５】
第２の通信部２２５は、音量検出部２２４から通知された第１の音量を、音量情報２０３として音声再生装置２１０へ送信する。
（第２の実施形態の動作）
図４は、音声再生装置２１０の制御部２１４の動作を示すフローチャートである。制御部２１４は、音声出力装置２２０から出力される第２の音声信号２０４に指定される出力音の出力音量が、予め設定された出力音量目標値に等しくなるように制御する。当然ながら、出力音の出力音量が出力音量目標値以下になるように制御してもよい。
【００９６】
音声再生装置２１０と音声出力装置２２０とは、予め、無線通信又は有線通信等、所定の方法によって接続され、音量信号２０１及び音量情報２０３の送受信が可能な状態に設定されているものとする。また、出力音量目標値は、制御部２１４の内部等、音声再生装置２１０の内部に設定されているものとする。
【００９７】
なお、出力音量目標値は、音声出力装置２２０の外部から設定可能であることが好ましい。例えば、出力音量目標値は、音声再生装置２１０内の音量制御プログラム等の内部に設定された値を、音声出力装置２２０に送信することによって設定してもよい。音声再生装置２１０から音声出力装置２２０への出力音量目標値の送信方法は任意である。例えば、後述の図６（ａ）、（ｂ）のように、音声再生装置２１０から音声出力装置２２０へ送信される音声情報３０５に、出力音量目標値を含ませて送信してもよい。
【００９８】
なお、第１の実施形態で設定されていた最大音量設定値は、本発明にとって本質的ではないので、本実施形態では設定されないものとする。
【００９９】
始めに、制御部２１４は、音量設定値ｉを最小値である”１”に設定する（ステップＳ２０１）。音声信号出力部１１１は、設定された音量設定値ｉに従ってサンプル音の音量を制御する。
【０１００】
次に、制御部２１４は、第１の音声信号を含む音声信号２０１を出力するよう、音声信号出力部２１１に指示する（ステップＳ２０２）。
【０１０１】
音声出力装置２２０は、音声信号２０１を解析して第１の音声の音量（以降、「第１の音量」という。）を検出し、音量情報２０３として送信する。第１の通信部２１３は、音量情報を受信し、制御部２１４へ通知する。制御部２１４は、音量情報からサンプル音量を取得する（ステップＳ２０３）。
【０１０２】
出力音量を取得した制御部２１４は、出力音量が出力音量目標値に等しいか否かを判断する（ステップＳ２０４）。出力音量が出力音量目標値に等しいときの音量設定値は、第２の音声の出力音量が出力音量目標値に等しくなる、理想音量設定値である。
【０１０３】
そこで、出力音量が出力音量目標値に等しいとき（ステップＳ２０４：Ｙｅｓ）、制御部２１４は、第２の音声の音量設定値を、その時点の音量設定値と同じ値に設定する（ステップＳ２０５）。
【０１０４】
そして、制御部２１４は、第２の音声信号を含む音声信号２０１を出力するように、音声信号出力部２１１に指示する（ステップＳ２０６）
ステップＳ２０４において、出力音量が出力音量目標値に等しくなければ（ステップＳ２０４：Ｎｏ）、制御部２１４は、音量設定値を変更し（ステップＳ２０７）、ステップＳ２０２へ戻る。従って、音声信号出力部２１１は、更新された音量設定値で音量を制御した第１の音声信号を含む音声信号２０１を出力する。
【０１０５】
なお、ステップＳ２０７での処理は、通知される出力音量が出力音量目標値に等しくなるように、第１の音声の音量設定値を変更するものである。従って、第１の実施形態のように、ステップＳ２０４において、出力音量と出力音量目標値との比較結果に基づいて、音量設定値が増減されてもよい。
【０１０６】
以上の処理によって、音声出力装置２２０から第２の音声信号が指定する出力音の音量が出力音量目標値に等しくなる。
（第２の実施形態の効果）
以上のように、本実施形態によると、音声再生装置と音声出力装置とが連携して音量制御を行い、出力される音量が目標値に等しくなるように制御する。従って、音声出力装置の外部に音声再生装置を接続した場合でも、不意な大音量の音声が発生することを防止することができる。
【０１０７】
さらに、音声再生装置内のプログラムの変更のみにより、音量の制御方法を変更することができる。従って、音声出力装置が制御プログラムの更新機能を備えない場合や、更新が困難でない場合にも、容易に制御内容の変更に対応することができる。
（第２の実施形態の変形例）
前述のように、音声信号２０１が第１の音声信号を含むこと、又は音声信号２０１が第２の音声信号を含むこと（以降、「音声信号内容」という。）を、音声信号入力部２２１が検出する方法は限定されない。
【０１０８】
図６は、第２の実施形態の音声再生システムの変形例の、音声再生システム３００の構成を示すブロック図である。音声再生システム３００では、音声再生装置３１０から音声出力装置３２０へ、音声情報３０５を用いて音声信号内容が通知される。
【０１０９】
音声信号内容は、第１の実施形態のように、第１の通信部３１３から第２の通信部３２５へ、音声情報３０５を用いて通知されてもよい（図６（ａ））。この場合、第２の通信部３２５から音声信号入力部３２１へ、音声信号内容が通知される。音声信号入力部３２１は、通知された音声信号内容に基づいて、第１の音声信号及び第２の音声信号を出力する。
【０１１０】
あるいは、音声信号内容は、音声信号出力部３１１から音声信号入力部３２１へ、音声情報３０５を用いて通知されてもよい（図６（ｂ））。この場合、音声情報３０５は、音声信号内容を示す所定の音声信号として、音声信号２０１と共に出力される。前述の、「第１の音声信号の特徴を利用する方法」及び「音声信号中の音声の音量の変化を検知する方法」も、音声信号出力部３１１から音声信号入力部３２１への音声情報３０５の送信を利用する方法に含まれる。音声信号入力部３２１は、検出した音声信号内容に基づいて、第１の音声信号及び第２の音声信号を出力する。
【０１１１】
また、前述のように、音声再生装置２１０の音声信号出力部２１１によって出力される、第１の音声信号及び第２の音声信号の基となる、基本音声情報の入力源は限定されない。
【０１１２】
図７は、第２の実施形態の音声再生システムの第２の変形例の、音声再生システム４００の構成を示すブロック図である。
【０１１３】
音声信号出力部４１１は、音声再生装置４１０の外部から基本音声情報（以降、「外部音声情報」という。）４０１を入力し、外部音声情報４０１を基に第１の音声信号又は第２の音声信号を生成し、音声信号２０１を音声出力装置４２０へ出力してもよい（図７（ａ））。
【０１１４】
さらに、外部音声情報４０１は、音声再生装置４１０の外部に備えられた記憶装置４３０が発生する信号であってもよい（図７（ｂ））。なお、図２の音声再生システムにおけるスマートフォンのように、記憶装置４３０が、音声再生装置４１０に内蔵されてもよいことは言うまでもない。
【０１１５】
なお、本発明の音声制御プログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【０１１６】
なお、以上の実施形態は各々他の実施形態と組み合わせることができる。
【０１１７】
上記の実施形態の一部又は全部は、以下の付記のようにも記載されうるが、以下には限られない。
（付記１）
音量情報を受信する第１の通信部と、
前記音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部と、
前記第１の音量設定値に基づいて前記第１の音量が設定された、所定の波形の前記第１の音声を指定する第１の音声信号、及び前記第２の音量設定値に基づいて前記第２の音量が設定された、前記第２の音声を指定する第２の音声信号を出力する音声信号出力部と、
を含む音声再生装置と、
前記第１の音声の前記出力音量を検出する音量検出部と、
前記音声再生装置へ、前記出力音量を示す前記音量情報を送信する第２の通信部と、
前記音声再生装置から前記第１の音声信号及び前記第２の音声信号を入力し、所定の音声情報に基づいて、前記第１の音声信号を前記音量検出部へ出力し、前記第２の音声信号を外部へ出力する音声信号入力部と、
を含む音声出力装置と、
を備える音声再生システム。
（付記２）
前記第１の通信部は、前記第１の音声信号又は前記第２の音声信号の出力の、開始を示す開始信号及び終了を示す終了信号を送信し、
前記第２の通信部は、前記開始信号及び前記終了信号を受信し、
前記音声信号入力部は、前記開始信号及び前記終了信号に基づいて、前記第１の音声信号を前記音量検出部へ出力し、前記第２の音声信号を外部へ出力する
ことを特徴とする付記１に記載の音声再生システム。
（付記３）
前記音声信号入力部は、前記第１の音声信号又は前記第２の音声信号の解析結果に基づいて、前記第１の音声信号を前記音量検出部へ出力し、前記第２の音声信号を前記音声波形出力部へ出力する
ことを特徴とする付記２に記載の音声再生システム。
（付記４）
前記制御部は、
前記音量情報に基づいて前記第１の音量設定値を変化させ、
前記出力音量が前記音量目標値に一致しないとき、前記開始信号を送信して、前記第１の音声信号の送信を開始し、
前記出力音量が前記音量目標値に一致したとき、前記終了信号を送信し、前記第２の音量設定値を前記第１の音量設定値に設定する
ことを特徴とする付記２又は３に記載の音声再生システム。
（付記５）
前記音量再生装置から前記音声出力装置へ、前記音量目標値を送信する
ことを特徴とする付記１乃至４のいずれかに記載の音声再生装置。
（付記６）
前記第２の音声信号に基づいて、前記第２の音声を出力する音声出力部、
を備えることを特徴とする付記１乃至５のいずれかに記載の音声再生システム。
（付記７）
前記音声信号出力部は、
外部から入力された、外部音声情報又は符号化された音声情報に基づいて、前記第１の音声信号又は前記第２の音声信号を出力する
ことを特徴とする付記１乃至６のいずれかに記載の音声再生システム。
（付記８）
入力された音声が外部に出力されたときの出力音量を検出する音量検出部、前記出力音量を示す音量情報を送信する第２の通信部、及び第１の音声信号及び第２の音声信号を入力し、所定の音声情報に基づいて、前記第１の音声信号を前記音量検出部へ出力し、前記第２の音声信号を外部へ出力する音声信号入力部を備える音量出力装置から、前記音量情報を受信する第１の通信部と、
前記音量情報に基づいて、前記出力音量が所定の音量目標値に等しくなるように、第１の音声の第１の音量を指定する第１の音量設定値及び第２の音声の第２の音量を指定する第２の音量設定値を設定する制御部と、
前記第１の音量設定値に基づいて前記第１の音量が設定された、所定の波形の前記第１の音声を指定する前記第１の音声信号、及び前記第２の音量設定値に基づいて前記第２の音量が設定された、前記第２の音声を指定する前記第２の音声信号を、前記音量出力装置へ出力する音声信号出力部と、
を備えることを特徴とする音声再生装置。
（付記９）
前記音量出力装置へ前記音量目標値を送信する送信手段
を備えることを特徴とする付記８に記載の音声再生装置。
（付記１０）
音量情報を受信する第１の通信部、前記音量情報に基づいて、外部に出力されたときの出力音量が所定の音量目標値に等しくなるように、第１の音声の第１の音量を指定する第１の音量設定値及び第２の音声の第２の音量を指定する第２の音量設定値を設定する制御部、及び前記第１の音量設定値に基づいて前記第１の音量が設定された、所定の波形の前記第１の音声を指定する第１の音声信号、及び前記第２の音量設定値に基づいて前記第２の音量が設定された、前記第２の音声を指定する第２の音声信号を出力する音声信号出力部を備える音声再生装置から、前記第１の音声信号及び前記第２の音声信号を入力し、所定の音声情報に基づいて、前記第２の音声信号を外部へ出力する音声信号入力部と、
前記音声信号入力部から前記第１の音声信号を出力し、前記第１の音声が外部に出力されたときの前記出力音量を検出する音量検出部と、
前記音声再生装置へ、前記出力音量を示す前記音量情報を送信する第２の通信部と、
を備えることを特徴とする音声出力装置。
（付記１１）
音声再生装置から、第１の音量設定値に基づいて第１の音量を設定して、所定の波形の第１の音声を指定する第１の音声信号を出力し、
音声出力装置において、所定の音声情報に基づいて、前記音声再生装置から前記第１の音声信号を入力し、前記第１の音声が外部に出力されたときの出力音量を検出し、
前記音声出力装置から、前記出力音量を示す前記音量情報を送信し、
前記音声再生装置において、前記音量情報に基づいて、前記出力音量が所定の音量目標値に等しくなるように、前記第１の音量を指定する第１の音量設定値及び第２の音声の第２の音量を指定する第２の音量設定値を設定し、
前記音声再生装置において、前記第２の音量設定値に基づいて前記第２の音量が設定された、前記第２の音声を指定する第２の音声信号を出力し、
前記音声出力装置において、前記音声情報に基づいて、前記音声再生装置から前記第２の音声信号を入力し、前記第２の音声信号を外部へ出力する
ことを特徴とする音量制御方法。
（付記１２）
音量情報を受信する第１の通信部、並びに第１の音量設定値に基づいて第１の音量が設定された所定の波形の第１の音声を指定する第１の音声信号及び第２の音量設定値に基づいて第２の音量が設定された第２の音声を指定する第２の音声信号を出力する音声信号出力部を含む音声再生装置、並びに、
前記第１の音声が外部に出力されたときの出力音量を検出する音量検出部、前記音声再生装置へ前記出力音量を示す前記音量情報を送信する第２の通信部、及び前記音声再生装置から前記第１の音声信号及び前記第２の音声信号を入力し、所定の音声情報に基づいて、前記第１の音声信号を前記音量検出部へ出力し、前記第２の音声信号を外部へ出力する音声信号入力部を含む音声出力装置を備える音声再生システム
における前記音声再生装置が備えるコンピュータを、
前記音量情報の受信を行う通信手段と、
前記音量情報に基づいて、前記出力音量が所定の音量目標値に等しくなるように、前記第１の音量設定値及び前記第２の音量設定値を設定する制御手段
として機能させるための音量制御プログラム。
【符号の説明】
【０１１８】
１００、２００、３００、４００    音声再生システム
１０２    出力音
１０３    連携情報
２０４、３０４    第２の音声信号
４０１    外部音声情報
【図１】
2014179845.tif 000003
【図２】
2014179845.tif 000004
【図３】
2014179845.tif 000005
【図４】
2014179845.tif 000006
【図５】
2014179845.tif 000007
【図６】
2014179845.tif 000008
【図７】
2014179845.tif 000009